(57)【要約】 【課題】人の注目を強く惹き付ける表示を行うことができる表示装置を提供する。【解決手段】表示領域の遮光基板２に画素体３を配列して設け、各画素体３を、遮光板３１の後部に透光円筒３２が固着され、非表示状態で遮光板３１が遮光基板２の表面と略面一に配置され、且つ後方の進退機構で進退可能な構成とし、更に、後方位置に光源１２を設け、表示時に、制御手段により所要の画素体３を前進して、遮光板３１の外周に透光円筒３２から漏れる光で画素表示することを特徴とする表示装置。【選択図】図３
2005300641.tif 000002
【特許請求の範囲】
【請求項１】
第１の色の基板に、前面が第１の色の画素体を配列して設けて表示領域を構成し、各画素体は、第２の色の側周面を有し、非表示状態で前面が該基板の表面と略面一に配置され、且つ後方の進退機構で進退可能な構成であり、表示時に、制御手段により所要の画素体を前進して、該基板及び画素体の前面の第１の色と該側周面の第２の色との対比で画素表示することを特徴とする表示装置。
【請求項２】
第１の色の基板に、前面が第１の色の画素体を配列して設けて表示領域を構成し、各画素体は、筒形若しくは柱形で、第２の色の内周面を有する基板内部の外筒に挿入して設けられ、非表示状態で前面が該基板の表面と略面一に配置され、且つ後方の進退機構で進退可能な構成であり、表示時に、制御手段により所要の画素体を後退して、該基板及び画素体の前面の第１の色と該外筒の内周面の第２の色との対比で画素表示することを特徴とする表示装置。
【請求項３】
遮光基板に画素体を配列して設けて表示領域を構成し、各画素体は、遮光板の後部に透光筒若しくは透光柱が固着され、非表示状態で遮光板が遮光基板の表面と略面一に配置され、且つ後方の進退機構で進退可能な構成であり、該遮光板より後方位置に光源を設け、表示時に、制御手段により所要の画素体を前進して、該遮光板の外周に該透光筒若しくは透光柱から漏れる光で画素表示することを特徴とする表示装置。
【請求項４】
遮光基板に画素体を配列して設けて表示領域を構成し、各画素体は、前面に遮光板を有する筒形若しくは柱形で、遮光基板の内部の透光外筒に挿入して設けられ、非表示状態で遮光板が遮光基板の表面と略面一に配置され、且つ後方の進退機構で進退可能な構成であり、該遮光板より後方位置に光源を設け、表示時に、制御手段により所要の画素体を後退して、該遮光板の前方に透光外筒から漏れる光で画素表示することを特徴とする表示装置。
【請求項５】
前記透光筒若しくは透光柱或いは透光外筒を半透明とすることを特徴とする請求項３又は４記載の表示装置。
【発明の詳細な説明】
【技術分野】
【０００１】
本発明は、画素体を移動して文字等を表示する表示装置に関する。
【背景技術】
【０００２】
画素体の移動による表示に関連する公知技術として特許文献１、２がある。特許文献１には、伸縮可能な複数の可動ロッドをマトリクス状に配置し、各可動ロッドを所定形状のデータに基づき且つ所定時間毎に移動する制御手段で伸縮し、可動ロッドの表面に設けられたＲＧＢの発光素子で立体形状等を表示する表示装置が開示されている。また、特許文献２には、曲面形状を表すデータを入力し、そのデータに基づき可動ロッドを移動して曲面形状を表現する装置が開示されている。
【０００３】
【特許文献１】特開２０００−６６６２６号公報
【特許文献２】特開平８−５３５７号公報
【発明の開示】
【発明が解決しようとする課題】
【０００４】
ところで、表示装置は多様な場所に設置され、広告媒体や顧客誘因手段として用いられることも多い。そのため、人の注目を強く惹き付けられる表示装置が求められている。
【０００５】
本発明は上記課題に鑑み提案するものであって、人の注目を強く惹き付ける表示を行うことができる表示装置を提供することを目的とする。
【課題を解決するための手段】
【０００６】
本発明の表示装置は、第１の色の基板に、前面が第１の色の画素体を配列して設けて表示領域を構成し、各画素体は、第２の色の側周面を有し、非表示状態で前面が該基板の表面と略面一に配置され、且つ後方の進退機構で進退可能な構成であり、表示時に、制御手段により所要の画素体を前進して、該基板及び画素体の前面の第１の色と該側周面の第２の色との対比で画素表示することを特徴とする。
【０００７】
また、本発明の表示装置は、第１の色の基板に、前面が第１の色の画素体を配列して設けて表示領域を構成し、各画素体は、筒形若しくは柱形で、第２の色の内周面を有する基板内部の外筒に挿入して設けられ、非表示状態で前面が該基板の表面と略面一に配置され、且つ後方の進退機構で進退可能な構成であり、表示時に、制御手段により所要の画素体を後退して、該基板及び画素体の前面の第１の色と該外筒の内周面の第２の色との対比で画素表示することを特徴とする。
【０００８】
前記第１の色は黒等の光反射率が低い色とし、第２の色は第１の色より光反射率が高い黄色や白色等の色とすると好適であるが、第１の色が光反射率が高く、第２の色が光反射率の低いものとすることも可能である。また、画素体の側主面や外筒の内周面を透光性とし、表示装置に設ける光源の照射光で画素表示する構成の他に、外部光源や自然光の照射で画素表示する構成としてもよい。
【０００９】
また、本発明の表示装置は、遮光基板に画素体を配列して設けて表示領域を構成し、各画素体は、遮光板の後部に透光筒若しくは透光柱が固着され、非表示状態で遮光板が遮光基板の表面と略面一に配置され、且つ後方の進退機構で進退可能な構成であり、該遮光板より後方位置に光源を設け、表示時に、制御手段により所要の画素体を前進して、該遮光板の外周に該透光筒若しくは透光柱から漏れる光で画素表示することを特徴とする。前記透光筒若しくは透光柱は半透明とすると好適である。
【００１０】
また、本発明の表示装置は、遮光基板に画素体を配列して設けて表示領域を構成し、各画素体は、前面に遮光板を有する筒形若しくは柱形で、遮光基板の内部の透光外筒に挿入して設けられ、非表示状態で遮光板が遮光基板の表面と略面一に配置され、且つ後方の進退機構で進退可能な構成であり、該遮光板より後方位置に光源を設け、表示時に、制御手段により所要の画素体を後退して、該遮光板の前方に透光外筒から漏れる光で画素表示することを特徴とする。前記透光外筒は半透明とすると好適である。
【発明の効果】
【００１１】
本発明の表示装置は、画素体を進退して遮光板の外周や遮光板の前方に漏れる光で画素表示することから、光と影の対比或いは色の対比で非常に趣深い表示が可能であり、表示内容が移行する際の画素体の進退動作と相俟って、人の注目を強く惹き付ける表示を行うことができる。従って、広告媒体として利用する場合には、優れた宣伝効果を発揮することができ、又、顧客誘因手段として利用する場合には、高い娯楽性や美観で優れた顧客誘因力を発揮することができる。また、透光筒、透光柱、透光外筒を半透明とすることにより、例えば光源が照射する白色光に半透明で所望のぼかしや、乳白色・青色・赤色・黄色等の着色を施し、所望の漏光を得ることができる。
【発明を実施するための最良の形態】
【００１２】
本発明の表示装置の実施形態について説明する。
【００１３】
本実施形態の表示装置１は、図１〜図３に示すように、略平面状の遮光基板２と、遮光基板２に配設された画素体３とを有し、正面視に於ける遮光基板２と後述する各画素体３の遮光板３１との領域で表示領域を構成する。
【００１４】
各画素体３は、図３に示すように略円筒形であって、正面視前面或いは図３に於ける頂面に設けられる円形の遮光板３１と、半透明樹脂等の透光性素材で円筒形に形成され、側周面として設けられる透光円筒３２と、透明樹脂等の透光性素材で形成される円形の透光底板３３とを備える。遮光板３１の径と透光円筒３２の外径は同一で、透光円筒３２の前端縁は遮光板３１の周縁に沿って固着されており、また、透光円筒３２の後端縁は、透光円筒３２より大径の透光底板３３に同心円状に固着され、前記固着部分から透光底板３３が周状に突出して縁部３４になっている。尚、透光円筒３２に代えて中実の透光柱を用いることも可能である。
【００１５】
遮光基板２には、画素に対応する位置に挿入孔２１が所定間隔で縦横に配列して形成され、各挿入孔２１に対応して遮光基板２の内部に透光性の外筒２２が固着されている。外筒２２の内径は挿入孔２１と同径で、且つ遮光板３１及び透光円筒３２の外径より僅かに大径であって、外筒２２は内部が挿入孔２１と連続するように配設されており、また、外筒２２は透光円筒３２の略半分程度の長さになっている。
【００１６】
挿入孔２１及び外筒２２内には画素体３の透光円筒３２が挿設され、画素体３は、挿入孔２１及び外筒２２により各画素位置で進退可能に保持されている。各画素体３の透光底板３３には、透光性の支持板４に固定され各画素体３と対応するシリンダー５のピストンロッド５１の先端がネジ止めで固着されており、ピストンロッド５１を下端まで後退した場合、遮光板３１の表面と遮光基板２の表面が略面一となる位置まで画素体３が後退し、また、ピストンロッド５１を前進した場合、縁部３４と外筒２２の後端が当接する位置まで画素体３が前進するようになっている。
【００１７】
シリンダー５は、バネ５２が内蔵されている単動式であり、バネ５２の前端はシリンダー５内の略前端に固着され、その後端はピストンロッド５１の後部に固着されている。エア供給管６は、エアコンプレッサ９から各シリンダー５や各画素体３に対応して分岐され、各シリンダー５及び画素体６に対応するエア供給管６の経路には、エアの供給とエア抜きを切り替える電磁弁の切替弁７と、エア流量の上限値を規制する流量制限オリフィスなど送出するエアの流量を所定量に維持可能な流量調整部８とが設置されている。
【００１８】
ピストンロッド５１を伸長する際には、後述するコントローラ１０から送信する制御信号で切替弁７をエアの供給に切り替え、エアコンプレッサ９からエア供給管６を介して送出される圧縮エアをシリンダー５内に供給して、圧縮エアでピストンを前方に付勢する。前記付勢により、ピストンロッド５１はバネ５２を収縮させながら伸長する。また、ピストンロッド５１を収縮する際には、コントローラ１０から送信する制御信号で切替弁７をエア抜きに切り替え、シリンダー５内のエアを抜き、前記エア抜きに伴うバネ５２の弾性復元力による伸長でピストンロッド５１が引っ張られ、ピストンロッド５１が収縮する。
【００１９】
コントローラ１０は、制御プログラムに従う制御部、制御プログラムや、所定の表示時間・表示間隔時間や、画素体３による画素が行列配置された画素領域や、設定画像に対応する所定画素の表示データ等を記憶する記憶部、表示時間や表示間隔時間を計測するタイマー、入力部、送受信部、その他の所要部を備え、端末１１に接続される。端末１１は、所定プログラムに従う制御部、制御プログラム等のプログラムや、画素体３による画素が行列配置された画素領域や、設定画像に対応する所定画素の表示データ等を記憶する記憶部、画像表示部、入力部、送受信部を備えるパーソナルコンピュータ等であり、画素体３による画素領域で表示する設定画像を入力し、コントローラ１０に送信可能になっている。
【００２０】
コントローラ１０或いはその制御部は、端末１１から送信される画素領域の設定画像に対応する所定画素の表示データを受信して認識し、表示データが存在する画素について、対応する切替弁６をシリンダー５内へのエアの供給に切り替えてピストンロッド５１を伸長すると共に、エア供給時からタイマーで所定の表示時間の計測を開始し、所定時間の経過に伴って切替弁６を切り替えてシリンダー５内のエアを排出して抜き出し、ピストンロッド５１を収縮する。更に、複数の設定画像に対応する所定画素の表示データを受信した場合には、これらのデータを一時記憶部に記憶すると共に、先頭の設定画像の所定画素の表示データから順次認識してピストンロッド５１の伸長や収縮を行い、この場合には表示時間の計測終了に伴い、表示間隔時間の計測を開始し、表示間隔時間の計測終了に応じて、次の設定画像に対応する所定画素の表示データを認識してピストンロッド５１の伸長や収縮を行う。尚、コントローラ１０で直接設定画像に対する所定画素の表示データを入力する構成としてもよい。
【００２１】
また、１２は例えばＬＥＤ、蛍光灯或いは白熱灯等の光源であり、光源１２の照射光は透光性の支持板４を経て、画素体３内に透光円筒３２から入射し、画素体３が遮光基板２から前方に突出している場合には、遮光基板２より前方に突出した透光円筒３２から画素体３の周囲に光が照射されるようになっている。
【００２２】
表示装置１で文字や絵等の設定画像を表示する場合、図に省略した点灯構造で光源１２を点灯し、端末１１から設定画像に対応する所定画素の表示データをコントローラ１０に入力する。コントローラ１０は、設定画素に対応する所定画素の表示データを認識し、表示データが存在する画素体３に対応する切替弁７をエア供給状態とし、シリンダー５内に圧縮エアを供給してピストンロッド５１を伸長する。ピストンロッド５１の伸長に伴って、そのピストンロッド５１に対応する画素体３の透光円筒３２が遮光基板２から前方に突出し、光源１２からの照射光が透光円筒３２から遮光板３１の周囲に漏れ出す。前記構成により、光とその光の周囲の影の対比で画素表示が行われ、略リアルタイムで入力される文字や絵等が表示される。
【００２３】
次に、表示装置１の変形例について説明するが、特に言及しない構成は上記実施形態と同様である。変形例の表示装置１は、図４に示すように、上記実施形態の画素体３を遮光基板２から前方に突出して表示する構成に代えて、画素体３を遮光基板２の位置から後退させて表示するものである。
【００２４】
画素体３、遮光基板２の構成は上記実施形態とほぼ同一であるが、外筒２２の長さは透光円筒３２と略同一であり、縁部３４が外筒２２に当接した際に、遮光板３１と遮光基板２の表面が略面一になるようになっている。また、シリンダー５は、エア抜きの状態でバネ５２の弾性復元力による伸長によりピストンロッド５１が伸長し、画素体３の縁部３４を外筒２２に当接するようになっており、切替弁６の切替でエア供給状態にした場合には、シリンダー５の略前部に圧縮エアが供給され、ピストンを後方へ付勢し、ピストンロッド５１が収縮するようになっている。
【００２５】
前記変形例の表示装置１で文字や絵等の設定画像を表示する場合、上記実施形態と同様に、光源１２を点灯し、端末１１から設定画像に対応する所定画素の表示データをコントローラ１０に入力する。コントローラ１０は、設定画素に対応する所定画素の表示データを認識し、表示データが存在する画素体３に対応する切替弁７をエア供給状態とし、シリンダー５内に圧縮エアを供給してピストンロッド５１を収縮する。ピストンロッド５１の収縮に伴って、そのピストンロッド５１に対応する画素体３が遮光基板２の位置から後退し、透光性の外筒２２から外筒２２の内部で且つ遮光板３１の前方に光源１２からの照射光が漏れ出す。前記構成により、光とその光の周囲の影の対比で画素表示が行われ、略リアルタイムで入力される文字や絵等が表示される。
【００２６】
尚、上記実施形態では、内部の光源１２からの照射光を透光円筒３２や透光性の外筒２２から透過して画素表示する構成としたが、例えば遮光基板２や遮光板３１の表面を黒色とし、透光円筒３２に代えて非透光性の円筒或いは非透光性の外筒２２を用い、前記円筒や外筒２２を黄色や赤色等の所定色に着色し、自然光や外部からの照射光の反射で画素表示する構成としてもよい。
【産業上の利用可能性】
【００２７】
本発明の表示装置は、例えば施設や店舗等に設置し、広告媒体や顧客誘因手段として利用することができる。
【図面の簡単な説明】
【００２８】
【図１】実施形態の表示装置の外観を示す図。
【図２】実施形態の表示装置に於ける遮光基板の表面及び画素体の遮光前面を示す部分正面図。
【図３】実施形態の表示装置に於ける画素体の移動を説明する説明図。
【図４】変形例の表示装置に於ける画素体の移動を説明する説明図。
【符号の説明】
【００２９】
１  表示装置
２  遮光基板
２１  挿入孔
２２  外筒
３  画素体
３１  遮光板
３２  透光円筒
３３  透光底板
３４  縁部
４  支持板
５  シリンダー
５１  ピストンロッド
５２  バネ
６  エア供給管
７  切替弁
８  流量調整部
９  エアコンプレッサ
１０  コントローラ
１１  端末
【図２】
2005300641.tif 000003
【図３】
2005300641.tif 000004
【図４】
2005300641.tif 000005
【図１】
2005300641.tif 000006